(57)【特許請求の範囲】
【請求項１】
空調機器及び携帯情報端末と通信可能に接続された空調機器制御装置であって、
室内外で検知した気温を示す気温データを受信する気温データ受信手段と、
当該空調機器制御装置に直接的に又は他の機器を経由して間接的に前記携帯情報端末からの無線ＬＡＮ経由でのアクセスを受付けたことに応じて、受信した前記室内外の気温データに基づいて、前記空調機器制御装置に直接的にアクセスされたか又は、他の機器から間接的にアクセスされたかを判断することで、前記携帯情報端末からのアクセスを受付けた場所に対応した空調機器を制御する制御手段と、
を備えることを特徴とする空調機器制御装置。
【請求項２】
前記他の機器とは、無線ＬＡＮアクセスポイントであって、前記空調機器制御装置が無線通信機能を備えるルータであって、前記無線ＬＡＮアクセスポイントと前記ルータが同一のＬＡＮで通信可能に接続されていることを特徴とする請求項１に記載の空調機器制御装置。
【請求項３】
前記空調機器制御装置の制御手段は、前記携帯情報端末が前記他の機器を経由してアクセスされた場合に、間接的にアクセスされた前記他の機器の情報を前記他の機器から受信することで、前記空調機器制御装置に直接的にアクセスされたか又は、他の機器から間接的にアクセスされたかを判断する請求項２に記載の空調機器制御装置。
【請求項４】
請求項１に記載の空調機器制御装置であって、
気象データを提供する気象サーバと通信可能に接続され、
前記気象サーバから気象データを受信する受信手段を備え、
前記制御手段は、前記携帯情報端末からのアクセスを受付けた場合に、受信した前記気象データと、前記室内外の気温データとに基づいて、前記空調機器を制御することを特徴とする空調機器制御装置。
【請求項５】
空調機器及び携帯情報端末と通信可能に接続された空調機器制御装置が実行する方法であって、
室内外で検知した気温を示す気温データを受信するステップと、
当該空調機器制御装置に直接的に又は他の機器を経由して間接的に前記携帯情報端末からの無線ＬＡＮ経由でのアクセスを受付けたことに応じて、受信した前記室内外の気温データに基づいて、前記空調機器制御装置に直接的にアクセスされたか又は、他の機器から間接的にアクセスされたかを判断することで、前記携帯情報端末からのアクセスを受付けた場所に対応した空調機器を制御するステップと、
を備えることを特徴とする方法。
【請求項６】
空調機器及び携帯情報端末と通信可能に接続された空調機器制御装置を、
室内外で検知した気温を示す気温データを受信する気温データ受信手段、
当該空調機器制御装置に直接的に又は他の機器を経由して間接的に前記携帯情報端末からの無線ＬＡＮ経由でのアクセスを受付けたことに応じて、受信した前記室内外の気温データに基づいて、前記空調機器制御装置に直接的にアクセスされたか又は、他の機器から間接的にアクセスされたかを判断することで、前記携帯情報端末からのアクセスを受付けた場所に対応した空調機器を制御する制御手段、
として機能させることを特徴とするプログラム。
【発明の詳細な説明】
【技術分野】
【０００１】
本発明は、一般的な空気調整機器（以下、「空調機器」）である扇風機、エアコンに加えて、自動窓開閉装置等を制御する空調機器制御装置、方法、プログラムに関する。
【背景技術】
【０００２】
従来、窓の内側及び外側に温度センサを設置して、室内外の温度を温度センサにより計測し、室内外の温度差に応じて、自動的に窓を開閉することが知られている（例えば、特許文献１）。
【０００３】
これによれば、人が入眠する時刻に、窓に設置された室内外の温度差を検知し、検知された室内環境条件に応じて、自動的に窓の開度を調整する装置が開示されている。
【先行技術文献】
【特許文献】
【０００４】
【特許文献１】特開２００８−１４４５１９号公報
【発明の概要】
【発明が解決しようとする課題】
【０００５】
しかしながら、特許文献１では、ユーザの居場所に応じた空調機器の調整をすることができない。例えば、ユーザが家の中で、部屋を移動した場合に、その移動した先の部屋の室内の空調機器の調整ができることが望ましい。
【０００６】
そこで、本発明は、ユーザが移動した場合であっても、その移動先の空調機器を制御できる空調機器制御装置、方法、プログラムを提供することを目的とする。
【課題を解決するための手段】
【０００７】
（１）空調機器（例えば、後述する、扇風機２２、エアコン２５等）及び携帯情報端末（例えば、後述する、携帯情報端末２００）と通信可能に接続された空調機器制御装置（例えば、後述する、ルータ５０）であって、室内外で検知した気温を示す気温データを受信する気温データ受信手段（例えば、後述する、気温データ受信手段５２）と、前記携帯情報端末からのアクセスを受付けたことに応じて、受信した前記室内外の気温データに基づいて、前記携帯情報端末からのアクセスを受付けた場所に対応した空調機器を制御する制御手段（例えば、後述する、空調機器制御手段５４）を備えることを特徴とする空調機器制御装置。
【０００８】
（１）に係る発明によれば、空調機器制御装置は、室内外の気温データを受信し、携帯情報端末からのアクセスを受付けたことに応じて、受信した室内外の気温データに基づいて、携帯情報端末からのアクセスを受付けた場所に対応した空調機器を制御する。したがって、携帯情報端末を所持するユーザが移動した場合であっても、その移動先の空調機器を制御できる空調機器制御装置を提供することが可能である。
【０００９】
（２）（１）に記載の空調機器制御装置であって、気象データを提供する気象サーバ（例えば、後述する、気象サーバ１００）と通信可能に接続され、前記気象サーバから気象データを受信する受信手段（例えば、後述する、気温データ受信手段５２）を備え、前記制御手段は、前記携帯情報端末からのアクセスを受付けた場合に、受信した前記気象データと、前記室内外の気温データとに基づいて、前記空調機器を制御することを特徴とする空調機器制御装置。
【００１０】
（２）に係る発明によれば、（１）の作用、効果に加えて、気象データを提供する気象サーバから気象データを受信し、受信した気象データと、室内外の気温データとに基づいて、空調機器を制御する。したがって、個々の空調機器の制御内容の決定や、複数の空調機器のうちどの空調機器を選択するといった決定において、気象サーバの気象データを参照することが可能である。
【００１１】
（３）（１）又は（２）に記載の空調機器制御装置であって、前記携帯情報端末からの電波を受信した場合には、当該携帯情報端末のＧＰＳデータを受信する位置情報受信手段（例えば、後述する、ユーザ位置情報受信手段５３）を備え、前記制御手段は、受信した前記気象データと、前記室内外の気温データとに基づいて、前記ＧＰＳデータに対応した空調機器を制御することを特徴とする空調機器制御装置。
【００１２】
（３）に係る発明によれば、（１）又は（２）に記載の作用、効果に加えて、携帯情報端末のＧＰＳデータに対応した空調機器を制御することが可能であるため、ユーザの居場所を、さらに局所的に捕えて、対応した空調機器を制御することが可能である。
【００１３】
（４）空調機器（例えば、後述する、扇風機２２、エアコン２５等）及び携帯情報端末（例えば、後述する、携帯情報端末２００）と通信可能に接続された空調機器制御装置（例えば、後述する、ルータ５０）が実行する方法であって、室内外で検知した気温を示す気温データを受信するステップと、前記携帯情報端末からのアクセスを受付けたことに応じて、受信した前記室内外の気温データに基づいて、前記携帯情報端末からのアクセスを受付けた場所に対応した空調機器を制御するステップとを備えることを特徴とする方法。
【００１４】
（４）に係る発明によれば、空調機器制御装置は、室内外の気温データを受信し、携帯情報端末からのアクセスを受付けたことに応じて、受信した室内外の気温データに基づいて、携帯情報端末からのアクセスを受付けた場所に対応した空調機器を制御する。したがって、携帯情報端末を所持するユーザが移動した場合であっても、その移動先の空調機器を制御できる方法を提供することが可能である。
【００１５】
（５）空調機器及び携帯情報端末と通信可能に接続された空調機器制御装置を、室内外で検知した気温を示す気温データを受信する気温データ受信手段、前記携帯情報端末からのアクセスを受付けたことに応じて、受信した前記室内外の気温データに基づいて、前記携帯情報端末からのアクセスを受付けた場所に対応した空調機器を制御する制御手段として機能させることを特徴とするプログラム。
【００１６】
（５）に係る発明によれば、空調機器制御装置が、室内外の気温データを受信し、携帯情報端末からのアクセスを受付けたことに応じて、受信した室内外の気温データに基づいて、携帯情報端末からのアクセスを受付けた場所に対応した空調機器を制御する。したがって、携帯情報端末を所持するユーザが移動した場合であっても、その移動先の空調機器を制御することが可能なプログラムを提供することが可能である。
【発明の効果】
【００１７】
本発明によれば、ユーザが移動した場合であっても、その移動先の空調機器を制御できる空調機器制御装置、方法、プログラムを提供することができる。
【図面の簡単な説明】
【００１８】
【図１】図１は、空調機器制御システム１の全体構成を示す図である。
【図２】図２は、気象サーバ１００、ルータ５０の機能構成、接続構成を示す図である。
【図３】図３は、空調機器制御フローを示す図である。
【図４】図４は、空調機器群対応テーブルを示す図である。
【図５】図５は、第２の空調機器群対応テーブルを示す図である。
【図６】図６は、制御内容決定処理フローを示す図である。
【図７】図７は、ＧＰＳデータを利用した第２の空調機器制御フローを示す図である。
【図８】図８は、第３の空調機器群対応テーブルを示す図である。
【図９】図９は、ルータ５０のハードウェア構成図である。
【発明を実施するための形態】
【００１９】
以下、図を参照して本発明の実施形態について説明する。
【００２０】
［全体概要］
図１を参照して本発明に係る空調機器制御システム１の概要について説明する。図１は、空調機器制御システム１の全体構成を示す図である。
【００２１】
空調機器制御システム１は、気象サーバ１００が、公衆回線網（インターネット：ＷＡＮ（Ｗｉｄｅ  Ａｒｅａ  Ｎｅｔｗｏｒｋ））３を介して、ルータ５０と接続される。ルータ５０は、自動窓開閉装置３３，３４と、無線ＬＡＮアクセスポイント２０と、ローカルエリアネットワークで接続されている。無線ＬＡＮアクセスポイント２０と、直接、無線通信を行う空調機器として、扇風機２２、エアコン２５が空調機器群Ａを形成する。
【００２２】
ルータ５０と直接、有線通信又は無線通信を行う空調機器として、エアコン３５と、自動窓開閉装置３３，３４が、空調機器群Ｂを形成する。
【００２３】
空調機器群Ａ，Ｂは、それぞれの室内に配置された複数の空調機器で構成される。例えば、室内Ａには、空調機器群Ａの空調機器が配置され、室内Ｂには、空調機器群Ｂの空調機器が配置される。
【００２４】
携帯情報端末２００は、ルータ５０又は無線ＬＡＮアクセスポイント２０と無線通信が可能な端末である。携帯情報端末２００が無線ＬＡＮの電波を送信すると、ルータ５０又は無線ＬＡＮアクセスポイント２０が当該電波を受信して、携帯情報端末２００からのローカルネットワーク又はルータ５０を介して公衆回線網３へのアクセスを可能にする。
【００２５】
扇風機２２、エアコン２５、エアコン３５は、ルータ５０との無線通信により制御可能な通信インターフェィス及び制御部を備える。すなわち、ルータ５０からの制御命令を無線通信で受信して、この制御命令に従った空調機能の調整を実行する。例えば、扇風機２２は、ルータ５０からの制御命令として「扇風機の電源をＯＮにして風速「中」で回転」を行う制御命令を受信すると、扇風機の電源をＯＮとして、風速「中」で羽を回転させる機能を有する。
【００２６】
自動窓開閉装置３３，３４は、ルータ５０からの制御命令に応じて、窓３２の開閉及び開閉の程度を制御する装置である。例えば、特開２００８−１４４５１９に開示された公知技術のように、外部からの制御命令に応じて、空気圧シリンダを用いた窓アクチュエータを利用して、窓の開度の制御を行う。すなわち、ルータ５０から送信される制御命令、例えば、窓３２を開度５０％とする命令に応じて、窓３２を半分開ける制御を行う装置である。
【００２７】
［機能構成］
図２を参照して、ルータ５０と、気象サーバ１００の機能構成、接続構成について説明する。
【００２８】
ルータ５０は、制御部５１と、通信Ｉ／Ｆ（インターフェイス）部５５とから構成される。制御部５１は、気温データ受信手段５２と、ユーザ位置情報受信手段５３と、空調機器制御手段５４とから構成される。なお、ルータ５０は、空調機器制御装置の好適な実施例であるが、下記で説明する機能を備えていれば、ルータではなく、本機能を備えるコンピュータ、サーバであってもよい。
【００２９】
制御部５１は、図９に示すように、ＣＰＵ（Ｃｅｎｔｒａｌ  Ｐｒｏｃｅｓｓｉｎｇ  Ｕｎｉｔ）４０と、ＲＯＭ（Ｒｅａｄ  Ｏｎｌｙ  Ｍｅｍｏｒｙ）４１と、ＲＡＭ（Ｒａｎｄｏｍ  Ａｃｃｅｓｓ  Ｍｅｍｏｒｙ）４２とから構成される。通信Ｉ／Ｆ部５５は、ＷＡＮポート５６と、ＬＡＮポート５７，５８とから構成される。気温データ受信手段５２、ユーザ位置情報受信手段５３、空調機器制御手段５４は、これらのハードウェアが本機能を実現するプログラムを読み込んで協働して実現される。
【００３０】
気温データ受信手段５２は、気温センサ５９が検知した室内外の気温データを受信する。気温センサ５９は、室内、室外にそれぞれ取り付けられ、取得した気温データをルータ５０の気温データ受信手段５２に送信する。また、気温データ受信手段５２は、気象サーバ１００から気象データを受信する。
【００３１】
ユーザ位置情報受信手段５３は、携帯情報端末２００の位置を特定する情報を受信する機能を有する。無線ＬＡＮアクセスポイント２０等の中継機を経由して、携帯情報端末２００からルータ５０にアクセスがあった場合には、ルータ５０は、ユーザ位置情報として、この中継した無線ＬＡＮアクセスポイント２０に関する情報を受信する。さらに、図示しないが、ユーザ位置情報受信手段５３は、携帯情報端末２００が、直接、ルータ５０にアクセスする場合の受信機能を有し、後述する図５のポート番号１０を経由しての無線アクセスを受付ける。
【００３２】
また、アクセスした携帯情報端末２００が、ＧＰＳ（Ｇｌｏｂａｌ  Ｐｏｓｉｔｉｏｎｉｎｇ  Ｓｙｓｔｅｍ）データをルータ５０に送信する場合には、ユーザ位置情報として、このＧＰＳデータを受信する。ここで、ＧＰＳデータとは、複数のＧＰＳ衛星から受信した発信電波から自機の緯度、経度等の位置情報を算出したデータである。
【００３３】
空調機器制御手段５４は、ユーザ位置情報に応じた空調機器群を特定し、特定した空調機器群のうち、どの空調機器を、どの程度、駆動するか（制御内容）を、気温データ、気象データに基づいて、決定する。そして、空調機器制御手段５４は、特定した空調機器に対して、決定した制御内容の制御命令を送信する。
【００３４】
図２の例では、ルータ５０の通信Ｉ／Ｆ部５５のＷＡＮポート５６から公衆回線網３を介して、気象サーバ１００と通信可能に接続されている。また、ＬＡＮポート５７のポート１において、空調機器群Ｂが接続されているためポート１が分岐して、自動窓開閉装置３３，３４及びエアコン３５のそれぞれと接続される。この例では、自動窓開閉装置３３，３４については、有線で接続され、エアコン３５は、ルータ５０と無線で通信可能に接続される。したがって、例えば、ルータ５０に、無線ＬＡＮアクセスポイント２０と同等の機能を有する無線電波送受信回路を介して、エアコン３５と通信可能に接続される。
【００３５】
ＬＡＮポート５８のポート２では、無線ＬＡＮアクセスポイント２０が有線で通信可能に接続されている。そして、無線ＬＡＮアクセスポイント２０には、空調機器群Ａ２２，２５とが、無線にて通信可能となっている。
【００３６】
気象サーバ１００は、気象データを提供するサーバであり、気象データ提供手段１０１と、気象データ管理データベース１０２とを備える。気象データ提供手段１０１は、ルータ５０の気温データ受信手段からの要求を受けて、気温データを要求したルータ５０に送信する。例えば、ルータ５０のユーザから、ルータ５０のシリアル番号と住所の入力を受付けて、これらを関係づけて予め気象サーバ１００に記憶しておく。そして、ルータ５０からのアクセス時に、このルータ５０のシリアル番号に基づいて、住所に対応する気象データを抽出して、抽出した気象データを、ルータ５０に送信する。
【００３７】
気象データとは、日時及び住所（位置情報であって、緯度、経度の情報であってもよい）とそれぞれ関係づけた、天気に関する天気データ、気温に関する気温データ、降水確率に関する降水確率データ、風速に関する風速データ等である。これらの気象データが、気象データ管理データベース１０２にて管理される。
【００３８】
［空調機器制御フロー］
図３を参照して、空調機器制御システム１において、携帯情報端末２００からのアクセスを受けたことに応じて、気温データ、気象データに基づいて、空調機器を制御する空調機器制御フローについて説明する。
【００３９】
最初に、ルータ５０は、気温センサ５９が検知した室内外の気温データ、気象サーバ１００から気象データを受信する（ステップＳ０１）。ルータ５０は、受信した気温データ、気象データを記憶する。
【００４０】
なお、ステップＳ０１は、ステップＳ０２、Ｓ０３の実行の後、すなわち、携帯情報端末２００からのアクセス処理に応じて、実行されてもよい。
【００４１】
携帯情報端末２００が、ルータ５０に対してアクセス処理（ステップＳ０２）を実行する。アクセス処理とは、携帯情報端末２００がルータ５０に電波を送信する処理であって、携帯情報端末２００が公衆回線網３に接続してインターネットを実行するためのアクセス処理であってもよいし、単に、ルータ５０に対して、ポーリングを行う処理であってもよい。ここで、空調機器群Ａが選択される室内Ａに携帯情報端末２００のユーザが居る場合には、このアクセス処理は、無線ＬＡＮアクセスポイント２０を経由して、ルータ５０にアクセスする処理となる。
【００４２】
無線ＬＡＮアクセスポイント２０は、携帯情報端末２００のアクセス処理を受信して、ルータ５０にアクセス転送処理を行う（ステップＳ０３）。アクセス転送処理とは、携帯情報端末２００のアクセスをルータ５０に転送するとともに、携帯情報端末２００のアクセスを検知した無線ＬＡＮアクセスポイント２０の情報をルータ５０に送信する処理である。なお、図１の場合に、携帯情報端末２００のユーザが、空調機器群Ｂが選択される室内Ｂに居る場合は、無線ＬＡＮアクセスポイントが室内Ｂ内に存在しないので、アクセス転送処理は行われず、ルータ５０が携帯情報端末２００からのアクセスを直接受ける。
【００４３】
次に、ルータ５０は、空調機器群特定処理を実行する（ステップＳ０４）。空調機器群特定処理は、ルータ５０が制御する空調機器群を特定する処理である。本処理では、例えば、図４、図５に示す空調機器群対応テーブルに基づいて、ルータ５０が制御する空調機器群が特定される。例えば、アクセス転送処理により、検知した無線ＬＡＮアクセスポイント２０の情報を受信した場合は、空調機器群対応テーブルに基づいて、空調機器群が「Ａ」であると特定される。一方、アクセス転送処理が行われず、ルータ５０に携帯情報端末２００がアクセス処理を直接行った場合は、空調機器群対応テーブルに基づいて、空調機器群を「Ｂ」であると特定される。
【００４４】
無線ＬＡＮアクセスポイント２０の情報とは、例えば、無線ＬＡＮアクセスポイント２０のＭＡＣアドレス（Ｍｅｄｉａ  Ａｃｃｅｓｓ  Ｃｏｎｔｒｏｌ  Ａｄｄｒｅｓｓ）であってよく、ルータ５０はＭＡＣアドレステーブルから、無線ＬＡＮアクセスポイント２０からのアクセス転送処理であることを判断する。
【００４５】
なお、図５の第２の空調機器群対応テーブルに基づいて、空調機器群を特定してもよい。ルータ５０にアクセスするポート番号と空調機器群が対応付けられており、例えば、図２を例に説明すると、携帯情報端末２００が、ポート番号２を経由してのアクセスであれば、ルータ５０は、空調機器群「Ａ」を特定する。図5のポート番号１０（携帯情報端末２００が、ルータ５０に直接アクセスした場合のルータ５０側のポート番号）を経由してのアクセスであれば、ルータ５０は、空調機器群「Ｂ」を特定する。
【００４６】
第２の空調機器群対応テーブルを使用する場合には、アクセス転送処理において、無線ＬＡＮアクセスポイント２０は、携帯情報端末２００のアクセスを検知した無線ＬＡＮアクセスポイント２０の情報をルータ５０に送信しないでよい。
【００４７】
空調機器群対応テーブル及び第２の空調機器群対応テーブルは、室内の場所に応じた、空調機器群が、ユーザにより事前に設定入力された情報である。空調機器群対応テーブル及び第２の空調機器群対応テーブルは、ルータ５０に記憶されている。
【００４８】
次に、ルータ５０が、制御内容決定処理を実行する（ステップＳ０５）。ルータ５０が実行する制御内容決定処理を、図６に基づいて説明する。図６は、空調機器群特定処理において空調機器群Ｂが特定された場合の、制御内容決定処理を示すフローチャートである。図６のフローチャートは、空調機器の制御内容を決定するアルゴリズムとして、一例にすぎず、これ以外の様々なアルゴリズムが採用されてよい。例えば、エコに対応したアルゴリズムとして、電気代の削減やＣＯ２排出を抑制する等の基準に基づいたアルゴリズムが採用されてよい。
【００４９】
最初に、ルータ５０は、気温センサ５９から受信した室内の気温データが、２８度以上であるかを判断する（ステップＳ１０）。２８度未満であれば、空調機器の運転が必要ないため、その後の処理を実行しない（ステップＳ１０：ＮＯ）。室内温度が２８度以上であれば（ステップＳ１０：ＹＥＳ）、ステップＳ１１に処理を移す。
【００５０】
ルータ５０は、気象サーバ１００から受信した気象データの天気データ又は降水確率データに基づいて、降雨があるか否かを判断する（ステップＳ１１）。降雨があるか否かとは、現在、降雨中又は、将来（２〜３時間以内）に降雨するか否かである。ここで、天気データは、現在又は将来の、晴れ、雨、曇り、雪、雹、などの情報で構成される。この天気データが、晴れ、曇りであれば、降雨なし（ＮＯ）と判断し、雨、雪、雹であれば、降雨あり（ＹＥＳ）と判断する。
【００５１】
また、降雨確率データとは、現在又は将来（２〜３時間以内）の降雨確率の情報で構成される。例えば、降雨確率データが、５０％以上の降雨確率であれば、降雨あり（ＹＥＳ）と判断し、５０％以下であれば、降雨なし（ＮＯ）と判断する。
【００５２】
ルータ５０は、降雨なし（ＮＯ）と判断した場合には、室外の気温データを参照して、２８度以上であるか否かを判断する（ステップＳ１２）。室外温度が２８度以上である場合（ステップＳ１２：ＹＥＳ）には、ステップＳ１３にて、エアコン３５の運転を開始することを決定する。一方、室外温度が２８度以上ではない場合（ステップＳ１２：ＮＯ）には、ステップＳ１４にて、自動窓開閉装置３３，３４の作動を開始することを決定する。
【００５３】
ここで、ステップＳ１４にて、単に、自動窓開閉装置３３，３４が運転開始するのみではなく、室内の気温データが所定値であることに応じて、自動窓開閉装置３３，３４の窓３２の開度を調整する態様であってよい。すなわち、室内の気温データが３２度の場合は、窓３２の開度を８０％にするが、室内の気温データが２８度である場合は、窓３２の開度を３０％とするなどである。
【００５４】
また、自動窓開閉装置３３，３４の窓の開度は、室内外の気温データの温度差に応じて、調整されてよい。すなわち、室内の気温データが３２度で、室外の気温データが２６度の場合は、温度差が６度あるので、窓３２の開度を８０％とするが、室内の気温データが２８度であり、室外の気温データが２６度の場合は、温度差が２度なので、窓３２の開度を３０％と制御内容を決定する。
【００５５】
また、自動窓開閉装置３３，３４の窓の開度は、気象データのうち風速データが示す風速の大きさに応じて、調整されてもよい。
【００５６】
図３に戻ると、ステップＳ０５にて、制御内容が決定されると、制御される対象となる空調機器に対して、制御内容に対応した制御命令を送信し（ステップＳ０６）、制御される対象となる空調機器（エアコン３５）が、制御命令を受信し、この制御命令に応じた制御を実行する（ステップＳ０７）。例えば、制御内容決定処理において、室内温度が２８度以上（ステップＳ１０：ＹＥＳ）で、降雨があるため（ステップＳ１１：ＹＥＳ）、この制御内容をルータ５０から受信したエアコン３５が、例えば、設定温度２７度で運転を開始する。
【００５７】
なお、空調機器群特定処理において、特定されなかった空調機器群の全ての空調機器及び、特定された空調機器群のうち運転開始を決定されなかった空調機器に対しては、制御内容決定処理として、電源をオフにする制御命令を送信する態様であってもよい。これによれば、ユーザが室内の場所を移動した場合に、移動前の空調機器の電源を全てオフにして、ユーザの現在の居場所となる移動先の空調機器のみ運転を開始することができる。
【００５８】
また、制御内容決定処理の結果、複数の空調機器を同時に運転してもよい。例えば、気象データに湿度データが含まれ、湿度データが示す室外の湿度が室内よりも低い場合は、自動窓開閉装置３３，３４において、開度を３０％としつつ、エアコン３５をドライの設定で動作するといった場合である。また、自動窓開閉装置３３，３４は、時刻に応じて、開度の調整が行われてもよい。
【００５９】
［空調機器制御フロー２］
次に、図７に基づいて、ユーザ位置情報としてＧＰＳデータを使用する場合の、空調機器制御フロー２について説明する。図７では、携帯情報端末２００、ルータ５０のみにより処理が実行されるが、携帯情報端末２００が、無線ＬＡＮアクセスポイント２０を介して、ルータ５０にアクセスしてもよい。
【００６０】
最初に、先述の空調機器制御フローと同様に、ルータ５０は、気温センサ５９が検知した室内外の気温データ、気象サーバ１００から気象データを受信する（ステップＳ２０）。ルータ５０は、受信した気温データ、気象データを記憶する。
【００６１】
なお、ステップＳ２０は、ステップＳ２１、Ｓ２２の実行の後、すなわち、携帯情報端末２００からのアクセス処理に応じて、受信処理が実行されてもよい。
【００６２】
携帯情報端末２００が、ルータ５０に対してアクセス処理（ステップＳ２１）を実行する。アクセス処理とは、携帯情報端末２００がルータ５０に電波を送信する処理であって、携帯情報端末２００が公衆回線網３に接続してインターネットを実行するためのアクセス処理であってもよいし、単に、ルータ５０に対して、ポーリングを行う処理であってもよい。
【００６３】
ルータ５０は、携帯情報端末２００からのアクセス処理を受けて、携帯情報端末２００に、ＧＰＳデータ要求処理を行う（ステップＳ２２）。携帯情報端末２００は、要求に応じて、複数のＧＰＳ衛星から受信した発信電波から自機の緯度、経度の位置情報を算出したＧＰＳデータを、ルータ５０に送信する（ステップＳ２３）。
【００６４】
ルータ５０は、受信したＧＰＳデータに基づいて、空調機器群特定処理において、図８に示す、第３の空調機器群対応テーブルに基づいて、対応した空調機器群を特定する（ステップＳ２４）。ＧＰＳデータは、携帯情報端末２００が位置する緯度、経度を示すため、この位置が、第３の空調機器群対応テーブルの緯度、経度内のどこに属するか判断し、該当する空調機器群を特定する。第３の空調機器群対応テーブルは、ユーザが予め入力して、ルータ５０に記憶される。
【００６５】
次に、ルータ５０が、制御内容決定処理を実行する（ステップＳ２５）。ルータ５０が実行する制御内容決定処理は、図６で説明した制御内容決定処理と同様の処理である。以降の制御命令送信処理（ステップＳ２６）は、上述のステップＳ０６と同様であり、制御内容実行処理（ステップＳ２７）は、上述のステップＳ０７と同様である。
【００６６】
空調機器制御フロー２によれば、無線ＬＡＮアクセスポイント２０が位置情報をルータ５０に送信せずに、ユーザの携帯情報端末２００の位置を判別できるため、無線ＬＡＮアクセスポイント２０に、位置情報をルータ５０に送信する機能を必要とせずに実現することが可能である。
【００６７】
以上、本発明の実施形態によれば、ルータ５０は、室内外で検知した気温を示す気温データを受信し、携帯情報端末２００からのアクセスを受付けたことに応じて、携帯情報端末２００からのアクセスを受付けた場所に対応した空調機器群Ａ，Ｂを選択する。そして、選択した空調機器群Ａ，Ｂのうち最適な空調機器を選択し、受信した室内外の気温データに基づいて所定の制御内容でこの空調機器を制御することができる。
【００６８】
以上、本発明の実施形態について説明したが、本発明は本実施形態に限定されるものではなく、本発明の目的を達成できる範囲での変形、改良等は本発明に含まれるものである。
【００６９】
なお、本実施例で示した処理フローを実現するプログラムを所定のプログラム言語で記述することが可能である。所定の情報処理端末が、このプログラムを読み取り、実行することで、ルータ５０、携帯情報端末２００、無線ＬＡＮアクセスポイント２０として機能することが可能となる。
【符号の説明】
【００７０】
１  空調機器制御システム
２０  無線ＬＡＮアクセスポイント
２２  扇風機
２５  エアコン
３３，３４  自動窓開閉装置
３５  エアコン
５０  ルータ
１００  気象サーバ
２００  携帯情報端末
【図１】
0005398392.tif 000002
【図２】
0005398392.tif 000003
【図３】
0005398392.tif 000004
【図４】
0005398392.tif 000005
【図５】
0005398392.tif 000006
【図６】
0005398392.tif 000007
【図７】
0005398392.tif 000008
【図８】
0005398392.tif 000009
【図９】
0005398392.tif 000010